(57)【要約】【課題】  他の複数台のリモコン装置間で、メッセージデータの送受信を行うことができるカラオケ装置のリモコン装置を提供する。【解決手段】  カラオケ装置１００のリモコン装置１に、他のリモコン装置間でメッセージデータの送受信を行うための送受信部１１と、各種情報を入力するための入力部１２と、識別情報を記憶する識別情報記憶部１３と、入力したメッセージ本文を記憶するメッセージ本文記憶部１５と、前記メッセージ本文に前記各識別情報の付加を指示する識別情報付加指示部１６と、前記指示にもとづいて、前記メッセージ本文に識別情報を付加する識別情報付加部１７と、前記識別情報が付加されたメッセージデータを記憶するメッセージデータ記憶部１８と、送信指示を受け付ける送信指示部１９と、前記送信指示に基づいて、前記メッセージデータを前記送受信手段により送信する制御部２０を備えた。【選択図】  図１
2005107270.tif 000002
【特許請求の範囲】
【請求項１】
カラオケ装置のリモコン装置であって、
該リモコン装置は、
他のリモコン装置間でメッセージデータの送受信を行うための送受信手段と、
各種情報を入力するための入力手段と、
送信端末識別情報，送信メッセージ識別情報，返信メッセージ識別情報，送信グループ識別情報，受信グループ識別情報，送信者個人識別情報，受信者個人識別情報などの各識別情報を記憶する識別情報記憶手段と、
入力したメッセージ本文を記憶するメッセージ本文記憶手段と、
前記メッセージ本文に前記各識別情報の付加を指示する識別情報付加指示手段と、
前記指示にもとづいて、前記メッセージ本文に識別情報を付加する識別情報付加手段と、
前記識別情報が付加されたメッセージデータを記憶するメッセージデータ記憶手段と、
送信指示を受け付ける送信指示手段と、
前記送信指示に基づいて、前記メッセージデータを前記送受信手段により送信する制御手段を備えたことを特徴とするカラオケ装置のリモコン装置。
【請求項２】
前記請求項1に記載のカラオケ装置のリモコン装置であって、
日時情報を管理する日時情報管理手段と、
送信メッセージデータに有効期限情報を付加する有効期限日時付加手段を更に備えたことを特徴とする請求項１に記載のカラオケ装置のリモコン装置。
【請求項３】
前記請求項１に記載のカラオケ装置のリモコン装置であって、
受信したメッセージデータの識別情報を検索する識別情報検索手段と、
前記識別情報の検索結果にもとづいて、前記メッセージデータを破棄するメッセージデータ破棄制御手段を更に備えたことを特徴とする請求項１に記載のカラオケ装置のリモコン装置。
【請求項４】
前記請求項１に記載のカラオケ装置のリモコン装置であって、
受信したメッセージデータの識別情報を検索する識別情報検索手段と、
前記識別情報の検索結果にもとづいて、前記メッセージデータを前記メッセージデータ記憶手段に記憶するメッセージデータ記憶制御手段を更に備えたことを特徴とする請求項１に記載のカラオケ装置のリモコン装置。
【請求項５】
前記請求項１に記載のリモコン装置と共に用いられるカラオケ装置であって、
前記メッセージデータを受信する受信手段と、
前記受信したメッセージデータを送信するメッセージデータ送信制御手段とを備えたことを特徴とするカラオケ装置。
【請求項６】
前記請求項５に記載のカラオケ装置であって、
受信したメッセージデータを記憶するメッセージデータ記憶手段と、
前記メッセージデータの記憶の際に、前記メッセージデータ記憶手段に同じ識別情報が付加されたメッセージデータがあるかを検索する検索手段と、
前記検索結果に基づいて、前記メッセージデータを前記メッセージデータ記憶手段に記憶するメッセージデータ送信制御手段を更に備えたことを特徴とする請求項５に記載のカラオケ装置。
【請求項７】
前記請求項５に記載のカラオケ装置であって、
受信したメッセージデータを記憶するメッセージデータ記憶手段と、
前記メッセージデータの記憶の際に、前記メッセージデータ記憶手段に同じ識別情報が付加されたメッセージデータがあるかを検索する検索手段と、
前記検索結果に基づいて、前記受信したメッセージデータを送信するメッセージデータ送信制御手段を更に備えたことを特徴とする請求項５に記載のカラオケ装置。
【発明の詳細な説明】
【技術分野】
【０００１】
この発明は、カラオケ装置に曲のリクエスト予約（演奏要求）を入力するためのカラオケ用リモコン装置に関し、更に詳述すれば、カラオケ装置のリモコン装置間でメッセージデータの送受信を行うことができるカラオケ装置のリモコン装置およびそのリモコン装置と共に用いられるカラオケ装置に関するものである。
【背景技術】
【０００２】
カラオケ装置に曲のリクエスト予約（演奏要求）を入力するためのカラオケ用リモコン装置があるが、従来のものは、曲番号の送信機能を持っているのみで、リクエスト予約に必要な曲番号は、ユーザが冊子形態の歌本をめくって希望する曲番号を見つけて、リモコン装置に入力していた。
【０００３】
そこで、本願出願人は、検索キーとしてのかな文字や数字を入力するためのキーボードやタッチパネルなどの操作入力部と、検索キーワードや検索結果を表示するディスプレイと、検索用の楽曲データベースと、リクエスト曲の検索機能を備え、所望の曲を検索キーワードに基づいて検索し、選択した曲をリモコン装置でリクエスト予約できるカラオケ用リモコン装置を開発した。このようなカラオケ用リモコン装置によれば、ユーザは歌本をめくらなくても、歌いたい曲を見つけてリクエストを行うことができるようになる。
【０００４】
即ち、ユーザは歌いたい曲を見つけるために、カラオケ用リモコン装置に検索のカテゴリ（曲名検索,歌手名検索,ジャンル検索、新譜検索、発売年検索など）を入力し、更に、検索用のキーワード（曲名,歌手名,ジャンル,新譜発売月,発売年検索など）を入力すると、指定した検索カテゴリと検索キーワードで検索が実行され、検索結果として検索条件に合致した曲がリスト表示される。そして、ユーザはカラオケ用リモコン装置に表示された検索結果より所望の曲を選択して、その曲をカラオケ装置にリクエスト予約することができる（特願2002-343323）。
【０００５】
検索ができるカラオケ用リモコン装置としては、その他、特許文献１、特許文献２に記載のものがある。
【特許文献１】特開2000-20077号公報
【特許文献２】特開2000-99048号公報
【発明の開示】
【発明が解決しようとする課題】
【０００６】
従来のカラオケ用リモコン装置は、リモコン装置で入力されたリクエスト用の楽曲の曲番情報などをカラオケ装置本体に送信するだけの片方向の通信であり、リモコン装置とカラオケ装置本体間でデータの送受信を行うような双方向の通信はできなかった。また。複数台のリモコン装置があった場合にも、該複数台のリモコン装置間での双方向の通信もできなかった。
【０００７】
この発明は、このような事情に鑑みなされたものであって、リモコン装置に双方向の送受信機能を備え、他の複数台のリモコン装置間で、メッセージデータの送受信を行うことができるカラオケ装置のリモコン装置を提供することを目的とする。
【課題を解決するための手段】
【０００８】
この発明の第1発明は、上記目的を達成するため、カラオケ装置（１００，２００）のリモコン装置（１，２，３，４）であって、該リモコン装置は、他のリモコン装置間でメッセージデータの送受信を行うための送受信手段（送受信部１１）と、各種情報を入力するための入力手段（入力部１２）と、送信端末識別情報，送信メッセージ識別情報，返信メッセージ識別情報，送信グループ識別情報，受信グループ識別情報，送信者個人識別情報，受信者個人識別情報などの各識別情報を記憶する識別情報記憶手段（識別情報記憶部１３）と、日時情報を管理する日時情報管理手段（日時情報管理部１４）と、入力したメッセージ本文を記憶するメッセージ本文記憶手段（メッセージ本文記憶部１５）と、前記メッセージ本文に前記各識別情報の付加を指示する識別情報付加指示手段（識別情報付加指示部１６）と、前記指示にもとづいて、前記メッセージ本文に識別情報を付加する識別情報付加手段（識別情報付加部１７）と、前記識別情報が付加されたメッセージデータを記憶するメッセージデータ記憶手段（メッセージデータ記憶部１８）と、送信指示を受け付ける送信指示手段（送信指示部１９）と、前記送信指示に基づいて、前記メッセージデータを前記送受信手段により送信する制御手段（制御部２０）を備えたことを特徴とするカラオケ装置のリモコン装置である。
【０００９】
この発明の第２発明は、上記目的を達成するため、前記第１発明のカラオケ装置のリモコン装置であって、日時情報を管理する日時情報管理手段（日時情報管理部１４）と、送信メッセージデータに有効期限情報を付加する有効期限日時付加手段（日時情報管理部１４、制御部２０）を更に備えたことを特徴とする。
【００１０】
この発明の第３発明は、上記目的を達成するため、前記第１発明のカラオケ装置のリモコン装置であって、受信したメッセージデータの識別情報を検索する識別情報検索手段（制御部２０）と、前記識別情報の検索結果にもとづいて、前記メッセージデータを破棄するメッセージデータ破棄制御手段（制御部２０）を更に備えたことを特徴とする。
【００１１】
この発明の第４発明は、上記目的を達成するため、前記第１発明のカラオケ装置のリモコン装置であって、受信したメッセージデータの識別情報を検索する識別情報検索手段（制御部２０）と、前記識別情報の検索結果にもとづいて、前記メッセージデータを前記メッセージデータ記憶手段に記憶するメッセージデータ記憶制御手段（制御部２０）を更に備えたことを特徴とする。
【００１２】
この発明の第５発明は、上記目的を達成するため、前記第１発明のリモコン装置と共に用いられるカラオケ装置（１００，２００）であって、前記メッセージデータを受信する受信手段（送受信部１０１）と、前記受信したメッセージデータを送信するメッセージデータ送信手段（送受信部１０１、制御部１０９）とを備えたことを特徴とする。
【００１３】
この発明の第６発明は、上記目的を達成するため、前記第５発明のカラオケ装置であって、受信したメッセージデータを記憶するメッセージデータ記憶手段（メッセージデータ記憶部１０２）と、前記メッセージデータの記憶の際に、前記メッセージデータ記憶手段に同じ識別情報が付加されたメッセージデータがあるかを検索する検索手段（制御部１０９）と、前記検索結果に基づいて、前記メッセージデータを前記メッセージデータ記憶手段に記憶するメッセージデータ送信制御手段（制御部１０９）を更に備えたことを特徴とする。
【００１４】
この発明の第７発明は、上記目的を達成するため、前記第５発明のカラオケ装置であって、受信したメッセージデータを記憶するメッセージデータ記憶手段（メッセージデータ記憶部１０２）と、前記メッセージデータの記憶の際に、前記メッセージデータ記憶手段に同じ識別情報が付加されたメッセージデータがあるかを検索する検索手段（制御部１０９）と、前記検索結果に基づいて、前記受信したメッセージデータを送信するメッセージデータ送信制御手段（制御部１０９）を更に備えたことを特徴とする。
【００１５】
なお、以上の構成要素の任意の組合せ、本発明の表現を方法、装置、システム、記録媒体、コンピュータプログラムなどの間で変換したものもまた、本発明の態様として有効である。
【発明の効果】
【００１６】
本発明のカラオケ装置のリモコン装置によれば、他の複数台のリモコン装置間で、メッセージデータの送受信を行うことができるカラオケ装置のリモコン装置を提供することができる。
【発明を実施するための最良の形態】
【００１７】
この発明の通信カラオケ装置を図面に基づき説明する。
【００１８】
図１は、本発明のカラオケ装置とリモコン装置の全体システム構成を示したブロック図である。
【００１９】
１００，２００は、各リモコン装置との送受信機能を備えた通信カラオケ装置であり、前記各リモコン装置間及びリモコン装置−通信カラオケ装置間の送受信は、ブルートゥース（BLUETOOTH）を使って行う。１，２，３，４は、ＢＬＵＥＴＯＯＴＨによる送受信機能を備えたリモコン装置である。Ｍは、送受信するメッセージデータである。
【００２０】
通信カラオケ装置１００と通信カラオケ装置２００は、それぞれ隣り合った別々のカラオケルームに設置されており、通信カラオケ装置１００と通信カラオケ装置２００間はＬＡＮ接続されている。リモコン装置１，２，・・は、カラオケルームに入室の際に、店員から１人毎に１台または、グループ毎に１台乃至複数台が貸し渡される。
【００２１】
図２は、リモコン装置１のブロック構成図である。他のリモコン装置２，３，４の構成もリモコン装置１の構成と基本的に同じである。
【００２２】
図中、１１はＢＬＵＥＴＯＯＴＨ送受信機能を備えた送受信部、１２は各種情報を入力するためのキーボードよりなる入力部、１３は送信端末識別情報，送信メッセージ識別情報，返信メッセージ識別情報，送信グループ識別情報，受信グループ識別情報，送信者個人識別情報，受信者個人識別情報などの各識別情報を記憶する識別情報記憶部、１４は日時情報を管理する日時情報管理部、１５は前記入力部１３より入力したメッセージ本文を記憶するメッセージ本文記憶部、１６は前記メッセージ本文に所定の識別情報を付加することを指示する識別情報付加指示部であり、前記入力部１２と共通のキーを使用する構成としてもよい。１７は前記識別情報付加指示部１６の指示に基づいて、前記メッセージ本文に所定の識別情報を付加する識別情報付加部、１８は前記識別情報が付加されたメッセージデータを記憶するメッセージデータ記憶部、１９はメッセージデータの送信を指示する送信指示部であり、前記入力部１２と共通のキーを使用する構成としてもよい。２０は送信指示により、メッセージデータを前記送受信部１１により送信すると共に図示しない各種制御プログラムに基づいて各部を制御する制御部、２１はメッセージ本文などを表示する表示部である。
【００２３】
図３は、通信カラオケ装置１００のブロック構成部である。他の通信カラオケ装置２００の構成も通信カラオケ装置１００と基本的に同じである。
【００２４】
図中、１０１は前記リモコン装置1，２，・・・とＢＬＵＥＴＯＯＴＨにより通信を行うための送受信部、１０２は前記リモコン装置１，２，・・・から受信したメッセージデータを記憶するメッセージデータ記憶部、１０３は図示しないホストコンピュータから配信されたカラオケデータを蓄積したカラオケデータ記憶部、１０４は背景映像データ記憶部、１０５はカラオケデータおよび背景映像データを再生する再生部、１０６は音声出力部、１０７は映像出力部、１０８は他の通信カラオケ装置２００乃至お店の制御コンピュータと通信を行うための通信部であり、構内ネットワーク（ＬＡＮ）１２０に接続されている。１０９は図示しない各種制御プログラムに基づいて、各部を制御する制御部である。
【００２５】
ユーザは、リモコン装置１により、送信するメッセージ本文を入力作成する。メッセージ本文の作成が終了すると（ステップ１、以下、ステップをＳと略記する。図面において同じ）、前記メッセージ本文に付加する識別情報をユーザに指示させるために、識別情報付加画面が表示される（図４参照）。
【００２６】
ここで、送信端末ＩＤは、送信する端末（リモコン装置１、２、・・・又は通信カラオケ装置１００、２００）を一意に識別できる端末のＩＤ（識別情報）であり、メッセージデータＭに自動的に付加される。
【００２７】
送信メッセージＩＤは、送信する１件のメッセージデータＭを一意に識別できるメッセージデータのＩＤであり、メッセージデータＭに自動的に付加される。
【００２８】
返信メッセージＩＤは返信メッセージに付与されるメッセージデータＭのＩＤであり、新規メッセージの場合は付与されない（データ上は、”０”となる）。
【００２９】
送信グループＩＤは、送信する端末（リモコン装置１，２・・・及びまたは通信カラオケ本体１００，２００）に付与された一意に識別できるグループのＩＤであり、本実施例では、通信カラオケ装置１００とリモコン装置１，リモコン装置２でグループ１を構成し、通信カラオケ装置２００とリモコン装置３，４でグループ２を構成する。これらのグループ情報は、入店の際、店員が顧客にリモコン装置を貸し渡す際に、店員がリモコン装置に設定する。
【００３０】
受信グループＩＤは、受信するグループを指定するグループのＩＤであり、ユーザが希望するグループを指定する。受信するグループを指定しない場合は、データ上は、”０”が設定される。
【００３１】
送信者個人ＩＤは、送信する個人を一意に識別できる個人のＩＤであり、会員登録した個人ユーザに対して付与されるＩＤである。
【００３２】
受信者個人ＩＤは、送信メッセージの受信する個人ユーザを指定するＩＤであり、前記会員登録した個人ＩＤを指定する。尚、受信する個人ＩＤを指定しない場合は、データ上は、”０”が設定される。
【００３３】
送信メッセージ日時は、メッセージを送信した日時情報であり、メッセージ本文に自動的に付加される。
【００３４】
送信メッセージ有効期限日時は、送信するメッセージが有効期限切れになる日時情報であり、送信するユーザが設定すると、送信の際にメッセージ本文に付加される。
【００３５】
メッセージ本文は、送信するメッセージ本文である。
【００３６】
ユーザは、前記リモコン装置１に表示された識別情報付加画面に基づいて、所望の識別情報を入力する。入力は、直接識別情報を入力するか、選択候補の中から選択する方法で、入力することができる。入力された識別情報は識別情報付加指示部１６に一時記憶される（Ｓ２）。
【００３７】
送信指示が行われたことを検出すると（Ｓ３）、リモコン装置１はメッセージ本文に識別情報を付加したメッセージデータ■を作成して、当該メッセージデータＭをメッセージデータ記憶部１８に記憶すると共に、送受信部１１から出力する（Ｓ４）。
【００３８】
送受信部１１はメッセージデータＭを全方位に無線送信する。送信出力範囲は、１０ｍ前後であるため、同じ部屋（同一グループ１）のリモコン装置２、通信カラオケ装置１００にメッセージデータＭを送ることができるが、リモコン装置１の送信出力範囲内であれば、隣の部屋（隣のグループ２）のリモコン装置３でもリモコン装置１からのメッセージデータＭを直接受信することができる。
【００３９】
通信カラオケ装置１００及び２００は、メッセージデータＭの中継機として機能する。図６は通信カラオケ装置１００，２００がメッセージデータを受信した際の動作フローチャートである。
【００４０】
通信カラオケ装置１００は、リモコン装置１からのメッセージデータＭを送受信部１０１で受信すると（Ｓ１０１）、受信したメッセージデータＭがメッセージデータ記憶部１０２に記憶されているか否かをチェックする（Ｓ１０２）。もし、メッセージデータ記憶部１０２に受信したメッセージデータＭと同じ送信メッセージＩＤが記憶されていた場合は、当該受信したメッセージデータＭを破棄する（Ｓ１０５）。
【００４１】
他方、メッセージデータ記憶部１０２に受信したメッセージデータＭと同じ送信メッセージＩＤが記憶されていない場合は、当該受信したメッセージデータＭを送受信部１０１から出力する（Ｓ１０３）。そして、構内ネットワーク１２０を介して通信カラオケ装置２００にメッセージデータＭを出力する（Ｓ１０４）。
【００４２】
また、通信カラオケ装置２００は、前記メッセージデータＭを構内ネットワーク１２０を介して通信部１０８で受信すると（Ｓ１０１）、受信したメッセージデータＭがメッセージデータ記憶部１０２に記憶されているか否かをチェックする（Ｓ１０２）。もし、メッセージデータ記憶部１０２に受信したメッセージデータＭと同じ送信メッセージＩＤが記憶されていた場合は、当該受信したメッセージデータＭを破棄し（Ｓ１０５）、他方、メッセージデータ記憶部１０２に受信したメッセージデータＭと同じ送信メッセージＩＤが記憶されていない場合は、当該受信したメッセージデータＭを送受信部１０１から出力し（Ｓ１０３）、構内ネットワーク１２０を介して通信カラオケ装置１００にメッセージデータＭを出力する（Ｓ１０４）。
【００４３】
図７は、リモコン装置からメッセージデータＭを受信した際の各リモコン装置の動作フローチャートであり、各リモコン装置は、メッセージデータＭを送受信部１１で受信すると（Ｓ１１）、受信したメッセージデータＭがメッセージデータ記憶部１８に記憶されているか否かをチェックする（Ｓ１２）。もし、メッセージデータ記憶部１８に受信したメッセージデータＭの送信メッセージＩＤが記憶されていた場合は、当該受信したメッセージデータＭを破棄する（Ｓ１５）。
【００４４】
他方、メッセージデータ記憶部１８に受信したメッセージデータＭと同じ送信メッセージＩＤが記憶されていない場合は（Ｓ１２）、当該受信したメッセージデータＭを送受信部１１から送信出力する（Ｓ１３）。
【００４５】
次に前記受信したメッセージデータＭに受信グループＩＤが設定されているか否か（”０”か否か）をチェックする（Ｓ１６）。
【００４６】
また、受信グループＩＤが設定されていれば（Ｓ１６）、リモコン装置のグループＩＤと同じかどうかをチェックして（Ｓ１７）、同じでなければ、メッセージデータＭは破棄する（Ｓ１８）。
【００４７】
次に、受信したメッセージデータＭに受信者個人ＩＤが設定されているか否か（”０”か否か）をチェックする（Ｓ１９）。
【００４８】
もし、受信者個人ＩＤが設定されていれば、リモコン装置に予め登録された利用者の個人ＩＤと一致するか否かをチェックして（Ｓ２０）、一致しなければ、メッセージデータＭは破棄する（Ｓ２１）。
【００４９】
そして、リモコン装置は受信したメッセージデータＭをメッセージデータ記憶部１８に記憶する（Ｓ２２）。
【００５０】
リモコン装置では、入力部１３より、メッセージデータの表示指示が入力されると（Ｓ２３）、選択されたメッセージデータＭをメッセージデータ記憶部１８から読み出して、表示部２１に表示する（Ｓ２４）。
【００５１】
また、リモコン装置１，２・・・の制御部２０はメッセージデータ記憶部１８に記憶されたメッセージデータの送信メッセージ有効期限日時をチェックして（Ｓ２５）、日時情報管理部１４の日時情報に基づいて、有効期限日時を過ぎたメッセージデータがある場合は（Ｓ２６）、当該メッセージデータをメッセージデータ記憶部１８から削除する（Ｓ２７）。
【００５２】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【００５３】
【図１】この発明の実施の形態であるカラオケ装置とリモコン装置の全体システム構成を示したブロック図である。
【図２】この発明の実施の形態にかかるリモコン装置のブロック構成図である。
【図３】この発明の実施の形態にかかる通信カラオケ装置のブロック構成部である。
【図４】この発明の実施の形態にかかるカラオケ装置に表示された識別情報付加画面の概念図である。
【図５】この発明の実施の形態にかかるリモコン装置からメッセージデータＭを送信する場合の処理の流れを示した動作フローチャートである。
【図６】この発明の実施の形態にかかるリモコン装置からメッセージデータＭを受信した際の通信カラオケ装置１００又は２００の動作フローチャートである。
【図７】この発明の実施の形態にかかるリモコン装置からメッセージデータＭを受信した際のリモコン装置の動作フローチャートである。
【符号の説明】
【００５４】
１００，２００    通信カラオケ装置
１，２，３，４    リモコン装置
１１              送受信部
１２              入力部
１３              識別情報記憶部
１４              日時情報管理部
１５              メッセージ本文記憶部
１６              識別情報付加指示部
１７              識別情報付加部
１８              メッセージデータ記憶部
１９              送信指示部
２０              制御部
２１              表示部
１０１            送受信部
１０２            メッセージデータ記憶部
１０３            カラオケデータ記憶部
１０４            背景映像データ記憶部
１０５            再生部
１０６            音声出力部
１０７            映像出力部
１０８            通信部
１０９            制御部
１２０            構内ネットワーク
【図１】
2005107270.tif 000003
【図２】
2005107270.tif 000004
【図３】
2005107270.tif 000005
【図４】
2005107270.tif 000006
【図５】
2005107270.tif 000007
【図６】
2005107270.tif 000008
【図７】
2005107270.tif 000009